(57)【要約】      （修正有）【課題】組立及び分解が容易で、追加的な固定具を必要としない、単一のシートから折り上げた容器を提供する。【解決手段】複数の側面が一列に底面１０に接続され、複数の側面が底面の同一側に向かって折り上げられるとき、両端部において係合部２５１と４５１が互いに連結するために、スリット２５３、４５３を有する２つの係合片が２つの隣接しない側面２０、４０の側部から延伸され、底面及び側面を容器の形に維持する。また互いに連結する２つの係合部が容器の外部から側面に向かって更に挟持固定されるように、他方の側面３０、５０から延伸された把手片３５、５５が、カットされ折り上げられたフック５５２、５５４を有して、対応する係合部の開口２５５、４５５に更に連結する。【選択図】図２
0003204910.tif 000002
【実用新案登録請求の範囲】
【請求項１】
シートから折り上げられた容器であって、
底面と、
複数の側面であり、前記複数の側面の各々は、前記底面に接続され、かつ、２つの側面に隣接する両側部においてそれぞれ接続部を有し、各２つの隣接する側面は、２つの隣接する接続部を介して互いに接続される、複数の側面と、
２つの隣接しない側面の反対側部からそれぞれ延伸された２つの係合片であり、前記反対側部は側部に対向し、該側部を介して前記側面は前記底面に接続され、前記２つの係合片の各々は、両端部に係合部を有する、２つの係合片と、
を含み、
前記複数の側面は、前記容器を形成するように、前記底面に対して、前記底面の同一側に向かって折り上げ可能であり、
一方の係合片の一方の端部における前記係合部は、他方の係合片の一方の端部における前記係合部に連結され、一方の係合片の他方の端部における前記係合部は、他方の係合片の他方の端部における前記係合部に連結され、これにより、前記底面及び前記複数の側面は、形を維持して前記容器を形成する、
容器。
【請求項２】
各係合片は、前記側面の前記反対側部から延伸された係合体を含み、２つの係合部は、前記係合体の両端部からそれぞれ延伸される、請求項１に記載の容器。
【請求項３】
前記係合片のうちの一方の両端部における前記係合部は、第１方向及び第２方向に沿って切開されたＬ形状スリットをそれぞれ有し、前記係合片のうちの他方の両端部における前記係合部は、前記第１方向及び前記第２方向に沿って切開されたＬ形状スリットをそれぞれ有し、前記係合片のうちの一方の前記係合部における、前記第１方向に沿って切開された前記Ｌ形状スリットは、前記係合片のうちの他方の前記係合部における、前記第１方向に沿って切開された前記Ｌ形状スリットに連結され、前記係合片のうちの一方の前記係合部における、前記第２方向に沿って切開された前記Ｌ形状スリットは、前記係合片のうちの他方の前記係合部における、前記第２方向に沿って切開された前記Ｌ形状スリットに連結される、請求項１に記載の容器。
【請求項４】
任意の２つの隣接する側面の前記隣接する接続部は、前記容器の外方に突出し、かつ、重なり、複数の重畳部が、あらゆる２つの隣接する側面の交点で、前記容器の外部に形成され、あらゆる２つの近接する重畳部は、互いに連結する２つの係合部と一側面との間で固定される、請求項１に記載の容器。
【請求項５】
前記複数の側面は、互いに連続して接続された第１側面、第２側面、第３側面及び第４側面を含み、前記第１側面及び前記第３側面は、互いに対向して配置され、前記第２側面及び前記第４側面は、互いに対向して配置され、前記２つの係合片は、前記第１側面の反対側部及び前記第３側面の反対側部からそれぞれ延伸される、請求項１に記載の容器。
【請求項６】
前記第２側面の反対側部及び前記第４側面の反対側部にそれぞれ接続された２つの把手片を更に含む、請求項５に記載の容器。
【請求項７】
前記２つの把手片の各々は、２つのフックを含み、前記２つの係合片の両端部における前記係合部の各々は、開口を含み、一方の係合片の前記係合部が他方の係合片の前記係合部に連結されるとき、前記把手片のうちの一方の前記２つのフックは、前記２つの係合部の前記開口をそれぞれ係合する、請求項６に記載の容器。
【請求項８】
前記２つの把手片の各々の前記２つのフックは、前記把手片の切取部を曲げることによって形成される、請求項７に記載の容器。
【請求項９】
前記容器は紙製容器である、請求項１に記載の容器。
【考案の詳細な説明】
【技術分野】
【０００１】
本考案は、容器に関し、特に、単一のシートから折り上げた容器に関する。
【背景技術】
【０００２】
固体又は液体のための容器は、使用しないとき、空間を占有する問題を抱え、特に、移動の必要性が高い状況、例えば、登山又はキャンプなどのアウトドアアクティビティで使用するとき、従来型の容器は、適切な配慮がされていない。
【０００３】
そのような困難な状況を克服するために、実行可能になる前に最小サイズの平坦なシートを有する、折り上げ可能な容器の一部が市場で見受けられる。そのような容器は、特定の方法に従って平坦なシートを折り上げるとき、収容空間（ｃｏｎｔａｉｎｉｎｇ  ｒｏｏｍ）を固定する。しかし、シートから折り上げ可能な容器を作る方法があり、そのような方法では、容器を効果的に固定するための追加的な締結手段が必要になる。
【考案の概要】
【０００４】
本考案の一実施形態は、シートから折り上げられた容器を提供する。当該容器は、底面、複数の側面及び２つの係合片を含む。複数の側面の各々は、底面に接続され、かつ、２つの側面に隣接する両側部においてそれぞれ接続部を有する。各２つの隣接する側面は、２つの隣接する接続部を介して互いに接続される。２つの係合片は、２つの隣接しない側面の反対側部からそれぞれ延伸される。反対側部は側部に対向し、該側部を介して側面は底面に接続される。２つの係合片の各々は、両端部に係合部を有する。複数の側面は、容器を形成するように、底面に対して、底面の同一側に向かって折り上げ可能である。一方の係合片の一方の端部における係合部は、他方の係合片の一方の端部における係合部に連結され、一方の係合片の他方の端部における係合部は、他方の係合片の他方の端部における係合部に連結され、これにより、底面及び複数の側面は、形を維持して容器を形成する。
【０００５】
本実施形態によると、各係合片は、側面の反対側部から延伸された係合体を含み、２つの係合部は、係合体の両端部からそれぞれ延伸される。
【０００６】
本実施形態によると、係合片のうちの一方の両端部における係合部は、第１方向及び第２方向に沿って切開されたＬ形状スリットをそれぞれ有する。係合片のうちの他方の両端部における係合部は、第１方向及び第２方向に沿って切開されたＬ形状スリットをそれぞれ有する。係合片のうちの一方の係合部における、第１方向に沿って切開されたＬ形状スリットは、係合片のうちの他方の係合部における、第１方向に沿って切開されたＬ形状スリットに連結され、係合片のうちの一方の係合部における、第２方向に沿って切開されたＬ形状スリットは、係合片のうちの他方の係合部における、第２方向に沿って切開されたＬ形状スリットに連結される。
【０００７】
本実施形態によると、任意の２つの隣接する側面の隣接する接続部は、容器の外方に突出し、かつ、重なる。複数の重畳部が、あらゆる２つの隣接する側面の交点で、容器の外部に形成される。あらゆる２つの近接する重畳部は、互いに連結する２つの係合部と一側面との間で固定される。
【０００８】
本実施形態によると、複数の側面は、互いに連続して接続された第１側面、第２側面、第３側面及び第４側面を含む。第１側面及び第３側面は、互いに対向して配置され、第２側面及び第４側面は、互いに対向して配置され、２つの係合片は、第１側面の反対側部及び第３側面の反対側部からそれぞれ延伸される。
【０００９】
本実施形態によると、容器は、第２側面の反対側部及び第４側面の反対側部にそれぞれ接続された２つの把手片を更に含む。
【００１０】
本実施形態によると、２つの把手片の各々は、２つのフックを含み、２つの係合片の両端部における係合部の各々は、開口を含む。一方の係合片の係合部が他方の係合片の係合部に連結されるとき、把手片のうちの一方の２つのフックは、２つの係合部の開口をそれぞれ係合する。
【００１１】
本実施形態によると、２つの把手片の各々の２つのフックは、把手片の切取部を曲げることによって形成される。
【００１２】
本実施形態によると、容器は紙製容器である。
【００１３】
本考案の実施形態により提供された容器は、使用前に薄いシートとして延伸された形状を有する。シート上の予め作られた折り目は、シートが折り上げられて収容空間（ａｃｃｏｍｍｏｄａｔｉｏｎ  ｒｏｏｍ）を有する容器を形成することを可能にする。シート自体からカットされた係合片は、容器の側面を固定するために更に利用され、これにより、組み立て及び分解が容易な容器が、追加的な固定具を必要とすることなく提供され得る。
【００１４】
本考案の上記及びその他の目的が、種々の図形及び図面に図示される好ましい実施形態の以下の詳細な説明を読むと、当業者に明白なことは言うまでもない。
【図面の簡単な説明】
【００１５】
【図１】本考案に従ったシートの図である。
【図２】シートから折り上げられた容器の半製品を示す図である。
【図３】シートから折り上げられた容器の図である。
【考案を実施するための形態】
【００１６】
考案を実施するための形態及び下記の実用新案登録請求の範囲全体にわたって、特定の文言が用いられる。当業者が諒解するように、製造者は、異なる名称で構成要素を言及することができる。下記の考案を実施するための形態及び実用新案登録請求の範囲において、「含む（ｉｎｃｌｕｄｅ及びｃｏｍｐｒｉｓｅ）」という文言は、オープンエンド形式で用いられる。また、「連結する（ｃｏｕｐｌｅ）」という文言は、間接的又は機械的な接続を意味するように意図されている。従って、第１の装置が第２の装置に連結されるとき、この接続は、直接的な機械的接続か、あるいは、他の装置及び接続を経由した間接的な機械的接続を介すことができる。
【００１７】
図１を参照されたい。図１は、本考案に従ったシートの図である。シート１は、底面１０、複数の側面、２つの係合片２５、４５及び２つの把手片３５、５５を含む。本実施形態において、シート１は、４つの側面である第１側面２０、第２側面３０、第３側面４０及び第４側面５０を有する。第１側面２０、第２側面３０、第３側面４０及び第４側面５０は、それぞれ、底面１０に接続される。より具体的には、第１側面２０及び第３側面４０は、対向配置され、第２側面３０及び第４側面５０は、対向配置される。各側面は、２つの側面に隣接する両側部においてそれぞれ接続部を有し、各２つの隣接する側面は、２つの隣接する接続部を介して互いに接続される。図１における実施形態を例にすると、第１側面２０は、接続部２２、２４を両側部に有し、第２側面３０は、接続部３２、３４を両側部に有し、第３側面４０は、接続部４２、４４を両側部に有し、第４側面５０は、接続部５２、５４を両側部に有する。接続部２２及び接続部５２は互いに接続され、接続部２４及び接続部３４は互いに接続され、接続部３２及び接続部４２は互いに接続され、接続部４４及び接続部５４は互いに接続される。
【００１８】
２つの係合片２５、４５は、２つの隣接しない側面の反対側部からそれぞれ延伸され、反対側部とは、側部に対向する、側面の側部を意味し、該側部を介して側面は底面１０に接続される。本実施形態において、係合片２５は、第１側面２０の反対側部２０２から延伸され、係合片４５は、第３側面４０の反対側部４０２から延伸される。係合片２５は、係合体２５０及び２つの係合部２５１、２５２によって作られる。係合体２５０が第１側面２０の反対側部２０２から直接延伸される一方で、係合部２５１、２５２は、係合体２５０の両端部からそれぞれ延伸され、かつ、係合体２５０に掛かっている（ｈａｎｇｉｎｇ）。他方の係合片４５も係合体４５０及び２つの係合部４５１、４５２によって作られる。係合体４５０が第３側面４０の反対側部４０２から直接延伸される一方で、係合部４５１、４５２は、係合体４５０の両端部からそれぞれ延伸され、かつ、係合体４５０に掛かっている（ｈａｎｇｉｎｇ）。更に、各係合部２５１、２５２、４５１、４５２は、それぞれ開口２５５、２５６、４５５、４５６をと、Ｌ形状スリット２５３、２５４、４５３、４５４とを有し、中でＬ形状スリット２５３、４５３が第１方向Ｌ１に沿って切開され、Ｌ形状スリット２５４、４５４が第２方向Ｌ２に沿って切開される。
【００１９】
２つの把手片３５、５５は、第２側面３０の反対側部３０２と、第４側面５０の反対側部５０２とにそれぞれ接続される。把手片３５は、２つのフック３５２、３５４を含み、把手片５５は、２つのフック５５２、５５４を含む。フック３５２、３５４及びフック５５２、５５４は、把手片３５、５５の切取部を曲げることによってそれぞれ形成される。図１の実施形態に関し、シート１は４つの側面を含み、それ故、係合片２５、４５及び把手片３５、５５は、底面１０の周りの複数の側面に接続され、かつ、ずらして配置する（ｓｔａｇｇｅｒ）、ということを留意されたい。他の実施形態において、シート１が５つ以上の側面を有することもできる一方で、係合片２５、４５又はそれ以上は、複数の隣接しない側面に接続されることができ、把手片３５、５５又はそれ以上は、複数の隣接しない側面に接続されることができる。
【００２０】
図２及び図３を参照されたい。図２は、シートから折り上げられた容器の半製品の図であり、図３は、シートから折り上げられた容器の図である。好ましい実施形態において、容器１００は紙製容器であるが、それに限定されない。本実施形態において、第１側面２０、第２側面３０、第３側面４０及び第４側面５０は、容器１００を形成するように、底面１０に対して底面１０の同一側に向かってそれぞれ折り上げ可能である。折り上げ工程中、２つの隣接する側面の隣接する接続部は、容器外方に突出し、かつ、重なる。例えば、図２において、第１側面２０の接続部２２と第４側面５０の接続部５２とは、重なり、かつ、図３に図示するように、隣接する第１側面２０及び第４側面５０の外部で、重畳部２８を形成する。第３側面４０の接続部４４と、第４側面５０の接続部５４とは、重なり、かつ、隣接する第３側面４０及び第４側面５０の交点及び外部で、重畳部４８を形成する。第１側面２０の接続部２４と、第２側面３０の接続部３４との重なりに関し、かつ、第３側面４０の接続部４２と、第２側面３０の接続部３２との重なりに関し、これらは同様の方法で重畳部を形成し、その説明は簡潔化のために本明細書では省略する。
【００２１】
第１側面２０、第２側面３０、第３側面４０及び第４側面５０が、底面１０の同一側に向かってそれぞれ折り上がった後、係合片２５、４５は、それぞれ第１側面２０及び第３側面に対して外方に更に折り返される。図示するように、掛かっている延伸された係合部２５１、４５１は、第４側面５０側で互いに連結され、掛かっている延伸された係合部２５２、４５２は、第２側面３０側で互いに連結され、斜視図のため、これは図内では見えない。係合部の連結は、第１側面２０、第２側面３０、第３側面４０、第４側面５０及び底面１０の形を維持して容器１００を形成するように機能する。特に、係合片２５、４５が、それぞれ第１側面２０及び第３側面４０に対して外方に折り返された後、第１方向Ｌ１に沿って切開された、係合部２５１のＬ形状スリット２５３が、第１方向に沿って切開された、係合部４５１のＬ形状スリット４５３に向かって右に面する。そのような状態において、Ｌ形状スリット２５３及びＬ形状スリット４５３は、互いに連結されることができ、それ故、これが係合片２５の係合部２５１と係合片４５の係合部４５１との間の連結を提供する。同様に、他方側における係合部２５２は、第２方向Ｌ２に沿って切開されたＬ形状スリット２５４を有し、該Ｌ形状スリット２５４は、第２方向Ｌ２に沿って切開された、係合部４５２のＬ形状スリット４５４に向かって右に面する。そのような状態において、Ｌ形状スリット２５４及びＬ形状スリット４５４は、互いに連結されることができ、それ故、これが係合片２５の係合部２５２と係合片４５の係合部４５２との間の連結を提供する。
【００２２】
図３を参照されたい。係合部２５１、４５１が互いに連結され、かつ、係合部２５２、４５２が互いに連結された後、あらゆる２つの隣接する側面の接続部は、重なり、かつ、隣接する側面の外側で、あらゆる２つの隣接する側面の交点から延伸された２つの近接する重畳部２８、４８を形成する。重畳部２８、４８は、互いに連結する２つの係合部２５１、４５１と、第４側面５０と間で固定される（他方側における重畳部は、係合部及び側面と同様の構造関係を有する）。係合部と、重畳部と、これらの部分が配置された側面とを更に緊密に組み立てるため、係合部２５１の開口２５５及び係合部４５１の開口４５５への更なる係合のために、第４側面５０に接続された把手片５５のフック５５２、５５４は、それぞれ、外方及び下方に曲げられ得る（図２に図示するように）。他方側における把手片３５のフック３５２、３５４も、それぞれ、開口２５６、４５６への同様の係合を有する（図１参照）。
【００２３】
本考案において提供されたシートから折り上げられた容器は、一列に底面に接続された複数の側面を利用する。複数の側面が底面の同一側に向かって折り上げられるとき、両端部においてそれらの係合部と互いに連結するために、少なくとも２つの係合片は、少なくとも２つの隣接しない側面の側部から延伸され、底面及び側面を容器の形に維持することができる。互いに連結する２つの係合部が容器の外部から側面に向かって更に挟持固定され得るように、他方の側面から延伸された把手片は、それからカットされ、かつ、折り上げられたフックを有して、対応する係合部の開口に更に連結し、それから、特定の収容空間を有する利便性のある容器を得ることができる。
【００２４】
当業者であれば、本考案の教示を維持しながら、装置及び方法の多くの変更及び代替が行われ得ることを容易に認識するであろう。従って、上記の開示は、添付した請求項の境界及び範囲（ｍｅｔｅｓ  ａｎｄ  ｂｏｕｎｄｓ）によってのみ限定されるものとして理解されるべきである。
【符号の説明】
【００２５】
１  シート
１０  底面
２０  第１側面
２２  接続部
２４  接続部
２５  係合片
２８  重畳部
３０  第２側面
３２  接続部
３４  接続部
３５  把手片
４０  第３側面
４２  接続部
４４  接続部
４５  係合片
４８  重畳部
５０  第４側面
５２  接続部
５４  接続部
５５  把手片
１００  容器
２０２  反対側部
２５０  係合体
２５１  係合部
２５２  係合部
２５３  Ｌ形状スリット
２５４  Ｌ形状スリット
２５５  開口
２５６  開口
３０２  反対側部
３５２  フック
３５４  フック
４０２  反対側部
４５０  係合体
４５１  係合部
４５２  係合部
４５３  Ｌ形状スリット
４５４  Ｌ形状スリット
４５５  開口
４５６  開口
５０２  反対側部
５５２  フック
５５３  フック
５５４  フック
Ｌ１  第１方向
Ｌ２  第２方向
【図１】
0003204910.tif 000003
【図２】
0003204910.tif 000004
【図３】
0003204910.tif 000005